(57)【要約】      （修正有）【課題】ターンテーブルと回転軸との結合力を補強して、ターンテーブルの傾きまたはターンテーブルの回転不均衡を防止または抑制したスピンドルモーターを提供する。【解決手段】スピンドルモーター１００は、回転する回転軸１０、前記回転軸１０に結合されて前記回転軸１０と共に回転し、ディスクが安着されるターンテーブル２０、前記ターンテーブル２０から露出された前記回転軸１０に結合され、前記回転軸１０の軸方向に沿って動きながら前記ディスクを固定するセンターコーン３０、及び前記ターンテーブル２０の上面で前記回転軸１０に結合され、前記ターンテーブル２０を固定するターンテーブル固定部材４０を含む。【選択図】図１
2012243386.tif 000002
【特許請求の範囲】
【請求項１】
回転する回転軸；
前記回転軸に結合されて前記回転軸と共に回転し、ディスクが安着されるターンテーブル；
前記ターンテーブルから露出された前記回転軸に結合され、前記回転軸の軸方向に沿って動きながら前記ディスクを固定するセンターコーン；及び
前記ターンテーブルの上面で前記回転軸に結合され、前記ターンテーブルを固定するターンテーブル固定部材を含むスピンドルモーター。
【請求項２】
前記ターンテーブル固定部材は前記回転軸に圧入される、請求項１に記載のスピンドルモーター。
【請求項３】
前記ターンテーブル固定部材は環形リング形状に形成される、請求項１に記載のスピンドルモーター。
【請求項４】
前記ターンテーブル固定部材は金属リングである、請求項３に記載のスピンドルモーター。
【請求項５】
前記ターンテーブル固定部材は、前記ターンテーブル固定部材の上面が前記回転軸の外周面に延長された補強縁を含む、請求項３に記載のスピンドルモーター。
【請求項６】
前記ターンテーブル固定部材は、前記回転軸の外周面に沿って前記センターコーンを向ける方向に突出された補強縁を含み、前記ターンテーブルには前記ターンテーブル固定部材を格納する収納溝が形成された、請求項３に記載のスピンドルモーター。
【請求項７】
前記ターンテーブル固定部材と対向する前記センターコーンの下面には、前記ターンテーブル固定部材との干渉を防止する逃げ溝が形成された、請求項１に記載のスピンドルモーター。
【請求項８】
前記ターンテーブル固定部材は、前記回転軸の外周面と結合され、前記ターンテーブルの上面と対向するバーリング部が形成されて、ターンテーブルの前記上面には前記バーリング部の形成された前記ターンテーブル固定部材を収容する収容溝が形成された、請求項１に記載のスピンドルモーター。
【請求項９】
前記ターンテーブルの上面及び前記ターンテーブル固定部材の上面が同一平面上に形成された、請求項８に記載のスピンドルモーター。
【請求項１０】
前記回転軸を回転可能に支持するベアリング及び前記ベアリングを格納するベアリングハウジングを含むベアリングアセンブリー；
前記ベアリングハウジングの外周面に結合されたコア及びコアに巻線されたコイルを含む固定子；及び
前記回転軸に挿入されて前記ターンテーブルをサポートするヨーク及び前記ヨークに装着されてコアと対向するマグネットを含む回転子を含む、請求項１に記載のスピンドルモーター。
【請求項１１】
前記ヨークと対向する前記ターンテーブルの下面には、前記ターンテーブルと前記ヨークを接着する接着剤収容溝が形成された、請求項１０に記載のスピンドルモーター。
【発明の詳細な説明】
【技術分野】
【０００１】
本発明は、スピンドルモーターに係り、特に、ターンテーブルと回転軸との結合力を補強して、ターンテーブルの傾きまたはターンテーブルの回転不均衡を防止または抑制したスピンドルモーターに関する。
【背景技術】
【０００２】
一般に、ディスク回転装置の一つであるスピンドルモーターは、光学ディスクドライブ（ＯＤＤ）及びハードディスクなどのディスクを超高速回転させるために広く用いられている。
【０００３】
光学ディスクドライブ（ＯＤＤ）に用いられるスピンドルモーターは、回転軸、回転軸と共に回転するターンテーブル及び回転軸に挿入されてディスクをセンタリングするセンターコーンを含む。
【０００４】
かかる構造を有するスピンドルモーターは、センターコーンによりターンテーブルの厚さが減少し、これによって、ターンテーブルと回転軸との結合力が弱まったり、ターンテーブルが傾いたり、回転不均衡（ｒｕｎ−ｏｕｔ）が発生したりする問題点があった。
【発明の概要】
【発明が解決しようとする課題】
【０００５】
本発明は、ターンテーブルと回転軸との結合力を補強して、ターンテーブルの傾きまたはターンテーブルの回転不均衡を防止または抑制したスピンドルモーターを提供する。
【課題を解決するための手段】
【０００６】
本発明が成し遂げようとする技術的課題は、以上で言及した技術的課題に限定されるものではなく、言及していない他の技術的課題は、下記の記載を通して本発明の属する技術分野における通常の知識を有する者に明確に理解されるであろう。
【０００７】
本発明の一実施例として、スピンドルモーターは、回転する回転軸；前記回転軸に結合されて前記回転軸と共に回転し、ディスクが安着されるターンテーブル；前記ターンテーブルから露出された前記回転軸に結合され、前記回転軸の軸方向に沿って動きながら前記ディスクを固定するセンターコーン；及び前記ターンテーブルの上面で前記回転軸に結合されて前記ターンテーブルを固定するターンテーブル固定部材を含む。
【発明の効果】
【０００８】
以上、詳細に説明したように、本発明によれば、センターコーンによりターンテーブルと回転軸との結合力が弱まるのを防止するために、回転軸に金属のリング形状を有するターンテーブル固定部材を配置して回転軸とターンテーブルとの結合力を向上させることによって、ターンテーブルの傾き及び／または回転不均一を防止または抑制できる効果を有する。
【図面の簡単な説明】
【０００９】
【図１】本発明の一実施例に係るスピンドルモーターを示す断面図である。
【図２】図１におけるターンテーブル固定部材を示す斜視図である。
【図３】本発明の他の実施例に係るスピンドルモーターのターンテーブル固定部材を示す斜視図である。
【図４】本発明のさらに他の実施例に係るスピンドルモーターを示す断面図である。
【図５】図４に示されたターンテーブル固定部材の断面図である。
【発明を実施するための形態】
【００１０】
図１は、本発明の一実施例に係るスピンドルモーターを示す断面図である。図２は図１のターンテーブル固定部材を示す斜視図である。
【００１１】
図１及び図２を参照すれば、スピンドルモーター１００は、回転軸１０、ターンテーブル２０、センターコーン３０及びターンテーブル固定部材４０を含む。
【００１２】
回転軸１０は、ベアリングアセンブリー５０により回転可能に固定され、ベアリングアセンブリー５０には固定子６０が結合されて、回転軸１０には回転子７０が結合される。ベアリングアセンブリー５０はベアリングハウジング５２及びベアリング５４を含む。
【００１３】
ベアリングハウジング５２は、その上面が開口された円筒形状に形成され、プレス加工によって形成されるとよい。また、他に、ベアリングハウジング５２は、真鍮鋳物で製作されてもよい。
【００１４】
上面が開口された円筒形状に形成されたベアリングハウジング５２は、側板５２ａと底板５２ｂを含む。
【００１５】
ベアリングハウジング５２の側板５２ａは、例えば、円筒形状に形成され、底板５２ｂは側板５２ａの下段部に形成される。本発明の一実施例において、側板５２ａ及び底板５２ｂは、プレス工程を用いたディップドローイング工程により一体で形成されるとよい。
【００１６】
ベアリングハウジング５２の側板５２ａの上段は、側板５２ａの外側を向ける方向に切曲され、その切曲された部分は後述する固定子６０のコアを押圧固定する役割を担う。
【００１７】
ベアリング５４は、ベアリングハウジング５２に形成された収納空間に格納され、回転軸孔が形成された円筒形状に形成される。また、ベアリング５４は、例えば、オイル含浸焼結ベアリングを含むことができる。
【００１８】
ベアリングハウジング５２はベースプレート８０に結合される。ベースプレート８０にはバーリング部８２が形成され、バーリング部８２にはベアリングハウジング５２の側板５２ａが結合される。
【００１９】
固定子６０は、コア６２とコイル６４を含む。
【００２０】
コア６２は、薄い厚みを有する複数枚の鉄片を積層して形成され、コア６２の中心にはベアリングハウジング５２の側板５２ａと結合される貫通孔が形成される。コイル６４はコア６２に巻線される。
【００２１】
コア６２の上面は、ベアリングハウジング５２の側板５２ａが切曲された部分と接触され、これによって、コア６２がベアリングハウジング５２の側板５２ａから離脱することを防止することができる。
【００２２】
回転軸１０は、ベアリングハウジング５２に収納されたベアリング５４の回転軸孔に回転可能に挿入される。
【００２３】
回転子７０は、ヨーク７５とマグネット７６を含む。
【００２４】
ヨーク７５は、下面が開口された円筒形状に形成される。具体的に、ヨーク７５はヨーク上板７２及びヨーク側面板７４を含む。
【００２５】
ヨーク上板７２は、薄い厚みを有する円板形状に形成され、ヨーク上板７２の中央部にはヨークバーリング部７３が形成される。ヨークバーリング部７３は回転軸１０に結合され、回転軸１０にヨークバーリング部７３が結合されることによって、ヨーク７５は回転軸１０と共に回転される。
【００２６】
ヨーク側面板７４は、ヨーク上板７２の外側エッジから下部に向かう方向に延長される。
【００２７】
マグネット７６はヨーク側面板７４の内側面に配置され、マグネット７６はコア６２の側面と対向するように配置される。マグネット７６から発生した磁場及びコイル６４に起因して生じた磁場により発生された力によって、ヨーク７５及び回転軸１０は共に回転される。
【００２８】
吸入マグネット９０は、ヨーク７５におけるヨーク上板７２の下面上に配置される。吸入マグネット９０は、平面上で見たとき、円形のリング形状を有している。
【００２９】
前述したところによれば、回転軸１０は固定子６０及び回転子７０の作用により回転され、回転軸１０にはターンテーブル２０が結合される。
【００３０】
ターンテーブル２０は円板形状に形成され、光ディスクをサポートする役割を担う。ターンテーブル２０は回転軸１０に圧入されて、ターンテーブル２０の下面は回転子７０におけるヨーク７５のヨーク上板７２の上面上に配置される。
【００３１】
ターンテーブル２０が回転軸１０に圧入された後、回転軸１０には光ディスクをセンタリングするためのセンターコーン３０が挿入される。そして、そのセンターコーン３０は、回転軸１０の軸方向に移動され、センターコーン３０とターンテーブル２０との間にはコイルばね３５が介在されて、そのコイルばね３５によりセンターコーン３０が弾力的に支持されるようになる。
【００３２】
ターンテーブル２０の上面に配置されるセンターコーン３０を収容するために、ターンテーブル２０の上面には窪んだ溝が形成されるとよい。センターコーン３０を収容するためにターンテーブル２０の上面に窪んだ溝を形成する場合、ターンテーブル２０のうちセンターコーン３０と対向する部分は、センターコーン３０と対向しない部分に比べて相対的に薄い厚さで形成されるため、これによってターンテーブル２０と回転軸１０は弱い結合力で結合されることになる。
【００３３】
ターンテーブル２０と回転軸１０が弱い結合力で結合される場合、ターンテーブル２０が傾いて配置されたり、ターンテーブル２０に回転不均衡が発生したりすることがあり得る。
【００３４】
ターンテーブル固定部材４０は、かかるターンテーブル２０と回転軸１０との弱い結合力を補強して、ターンテーブル２０の傾き及び回転不均衡を防止することができる。
【００３５】
図２を参照すれば、ターンテーブル固定部材４０は、回転軸１０に挿入されてターンテーブル２０の上面に配置されることによって、ターンテーブル２０と回転軸１０との間の結合力を増加させる。
【００３６】
これを具現するために、ターンテーブル固定部材４０は金属の円形リング形状に形成され、回転軸１０の外周面に圧入されて、ターンテーブル固定部材４０の下面はターンテーブル２０の上面と接触される。
【００３７】
本発明の一実施例において、ターンテーブル固定部材４０がターンテーブル２０の上面上に配置される場合、ターンテーブル固定部材４０が回転軸１０に沿ってアップ‐ダウンされるセンターコーン３０の下面と干渉することがあり得るため、センターコーン３０の下面にはセンターコーン３０とターンテーブル固定部材４０が相互接触することを防止する逃げ溝３２が形成されるとよい。
【００３８】
ところが、センターコーン３０に逃げ溝３２を形成しない場合、ターンテーブル２０にターンテーブル固定部材４０を収容する収容溝を形成しても差し支えない。収容溝の深さは、ターンテーブル固定部材４０の厚さと実質的に同一なものとすることができ、これによって、ターンテーブル固定部材４０の上面とターンテーブル２０の上面は同一な平面上に配置されるとよい。
【００３９】
図３は、本発明の他の実施例に係るスピンドルモーターのターンテーブル固定部材を示す斜視図である。
【００４０】
図３を参照すれば、ターンテーブル固定部材４０には、前記ターンテーブル固定部材４０の上面から回転軸１０の外周面に沿って所定の高さで突出された補強縁４２を形成することができる。補強縁４２は、回転軸１０とターンテーブル固定部材４０との結合面積を増加させるため、ターンテーブル固定部材４０がより安定的に回転軸１０及びターンテーブル２０と結合できるようにする。
【００４１】
図４は、本発明のさらに他の実施例に係るスピンドルモーターを示す断面図である。図５は、図４に示されたターンテーブル固定部材の断面図である。図４及び図５に示されたスピンドルモーターは、ターンテーブル固定部材及びターンテーブルを除けば、上記図１に示されたスピンドルモーターと実質的に同一である。したがって、同一な構成要素に対する重複説明は省略し、同一な構成要素に対しては同一な名称及び同一な参照符号を与えることにする。
【００４２】
図４及び図５を参照すれば、ターンテーブル固定部材４０においては、回転軸１０の外周面と結合されるように、ターンテーブル固定部材４０の下面に向かう方向に突出されたバーリング部４５が形成され、ターンテーブル２０の上面にはバーリング部４５が形成されたターンテーブル固定部材４０を収容する収容溝２８が形成される。かつ、ターンテーブル２０の上面とターンテーブル固定部材４０の上面は同一な平面上に形成される。ターンテーブル２０の上面とターンテーブル固定部材４０の上面が同一な平面上に配置される場合、ターンテーブル固定部材４０と対向するセンターコーン３０にターンテーブル固定部材４０を収容する逃げ溝を形成しなくても差し支えない。
【００４３】
以上、本発明に係る実施例を詳述したが、これは例示的なものに過ぎず、当該分野において通常の知識を有する者であれば、これより多様な変形及び均等な範囲の実施例が可能であることが理解できるであろう。したがって、本発明の真正な技術的保護範囲は次の特許請求範囲により決めるべきである。
【図１】
2012243386.tif 000003
【図２】
2012243386.tif 000004
【図３】
2012243386.tif 000005
【図４】
2012243386.tif 000006
【図５】
2012243386.tif 000007